【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
無線データ処理デバイスとの、第１のＩＭプロトコルを使った、無線ネットワークによるインスタントメッセージング（「ＩＭ」）通信をサポートする、無線データ処理デバイスインターフェース、
第１のＩＭサービスとの第２のＩＭプロトコルを使ったＩＭ通信をサポートする、第１のＩＭサービスインターフェース、
前記第１のＩＭプロトコルと前記第２のＩＭプロトコルとの間を変換し、それにより、前記無線データ処理デバイスが、前記第１のＩＭサービスとのＩＭセッションを確立すること、及び該無線データ処理デバイスと互換性のないファイルを該無線データ処理デバイスが処理できるフォーマットに変換すること、を可能にする変換モジュール、及び
前記無線データ処理デバイスが前記無線ネットワークと通信できるように接触していないとき、該無線データ処理デバイスに宛てられたＩＭ通信を格納するメッセージキューを含む、該無線データ処理デバイスへの仮想接続を維持するメッセージングモジュール、
を備え、前記無線データ処理デバイスが、前記無線ネットワークと通信できるように接触していた最後のときから所定の時間内に、該無線ネットワークと通信できるように接触するようになった場合には、前記メッセージキュー内に格納されたＩＭ通信を、該無線データ処理デバイスに転送し、
前記無線データ処理デバイスが、前記無線ネットワークと通信できるように接触していた最後のときから所定の時間内に、該無線ネットワークと通信できるように接触するようにならなかった場合には、該無線データ処理デバイスを、前記ＩＭセッションからログオフさせる
ことを特徴とする、インスタントメッセージングプロキシシステム。
【請求項２】
前記第２のＩＭプロトコルと互換性のない第３のＩＭプロトコルを使った、第２のＩＭサービスとのＩＭ通信をサポートする第２のＩＭサービスインターフェース、
をさらに備え、前記変換モジュールが、前記第１のＩＭプロトコルと前記第３のＩＭプロトコルとの間を変換し、それにより、前記データ処理デバイスが、前記第２のＩＭサービスとのＩＭセッションを確立することを可能にした
ことを特徴とする、請求項１に記載のＩＭプロキシシステム。
【請求項３】
前記ＩＭプロキシサーバが、前記無線データ処理デバイスと前記第１及び第２のＩＭサービスとの間の並行ＩＭセッションをサポートする
ことを特徴とする、請求項２に記載のＩＭプロキシシステム。
【請求項４】
前記変換モジュールが、前記第１のＩＭサービスと互換性のないファイルを、該第１のＩＭサービス、又はそれに通信できるように繋がれたクライアントが処理できるフォーマットに変換する
ことを特徴とする、請求項１に記載のＩＭプロキシシステム。
【請求項５】
インスタントメッセージング（「ＩＭ」）クライアントがインストールされた、無線データ処理デバイスと、
前記無線データ処理デバイスと１又はそれ以上のＩＭサービスとの間に無線ネットワークによって通信できるように繋がれ、前記ＩＭサービスと前記無線データ処理デバイスとの間にＩＭセッションが存在するとき、前記ＩＭサービスのうちの１つで用いられる第１のＩＭプロトコルと前記無線データ処理デバイスで用いられる第２のＩＭプロトコルとの間を変換するプロキシサーバと
を備え、該プロキシサーバは、前記無線データ処理デバイスと互換性のない、前記１又はそれ以上のＩＭサービスから受け取ったファイルを、該無線データ処理デバイスが処理できるフォーマットに変換するデータ変換ロジックを備え、
該プロキシサーバは、前記無線データ処理デバイスへの仮想接続を維持し、
前記無線データ処理デバイスが前記無線ネットワークから通信できるように切り離されるようになった場合には、該プロキシサーバが、１又はそれ以上のＩＭサービスからの該無線データ処理デバイスに宛てられた無線通信を、メッセージキュー内に格納し、
前記無線データ処理デバイスが、前記無線ネットワークから通信できるように切り離されるようになったときから所定の時間内に、該無線ネットワークに通信できるように繋がれるようになった場合には、該プロキシサーバが、前記メッセージキュー内の前記格納された無線通信を、該無線データ処理デバイスへ転送し、及び
前記無線データ処理デバイスが、前記無線ネットワークから通信できるように切り離されるようになったときから所定の時間内に、該無線ネットワークに通信できるように繋がれるようにならなかった場合には、該プロキシサーバが、該無線電子デバイスを前記ＩＭセッションからログオフさせる、
ことを特徴とするシステム。
【請求項６】
前記プロキシサーバが、前記ＩＭサービスのうちの第２のＩＭサービスで用いられる第３のＩＭプロトコルと、前記無線データ処理デバイスで用いられる前記第２のＩＭプロトコルとの間を変換する
ことを特徴とする、請求項５に記載のシステム。
【請求項７】
前記データ変換ロジックが、前記１又はそれ以上のＩＭサービスと互換性のないファイルを、前記ＩＭサービス、又はそれらに通信できるように繋がれたクライアントが処理できるフォーマットに変換する
ことを特徴とする、請求項５に記載のシステム。
【請求項８】
前記ＩＭプロキシサーバ、及び前記１又はそれ以上のＩＭサービスが、インターネットによって通信できるように繋がれた
ことを特徴とする、請求項５に記載のシステム。
【請求項９】
前記データ処理デバイスが、データ処理能力を有するセルラ電話である
ことを特徴とする、請求項５に記載のシステム。
【請求項１０】
第１のインスタントメッセージング（「ＩＭ」）フォーマットで、無線ネットワークによって通信できるように接続された無線データ処理デバイスから、インスタントメッセージングデータを受け取り、
前記インスタントメッセージングデータが向けられた第１のＩＭサービスを特定し、
前記インスタントメッセージングデータを、前記第１のＩＭサービスと互換性のある第２のＩＭフォーマットに再フォーマットし、
ＩＭセッションの間、前記第２のＩＭフォーマットで、前記インスタントメッセージングデータを前記第１のＩＭサービスに伝送し、
前記第２のＩＭフォーマットで、前記第１のＩＭサービスから、インスタントメッセージングデータを受け取り、
前記インスタントメッセージングデータが向けられた前記無線データ処理デバイスを特定し、
前記インスタントメッセージングデータを、前記第１のＩＭフォーマットに再フォーマットし、
前記無線データ処理デバイスと互換性のない、前記１又はそれ以上のＩＭサービスから受け取ったファイルを、該無線データ処理デバイスが処理できるフォーマットに変換し、
前記無線データ処理デバイスが、前記無線ネットワークから通信できるように切り離されたときから所定の時間内に、該無線ネットワークに通信できるように接続された場合には、
前記無線データ処理デバイスが前記無線ネットワークに通信できるように接続されていないとき、前記インスタントメッセージングデータを、前記第１のＩＭフォーマットで、メッセージキュー内に格納し、
前記無線データ処理デバイスが前記無線ネットワークに通信できるように接続されているとき、前記メッセージキュー内の前記格納されたインスタントメッセージデータを、該無線データ処理デバイスへ転送し、かつ、
前記無線データ処理デバイスが、前記無線ネットワークから通信できるように切り離されたときから所定の時間内に、該無線ネットワークに通信できるように接続されなかった場合には、
前記無線データ処理デバイスを前記ＩＭセッションからログオフさせるステップ、
を含むことを特徴とする方法。
【請求項１１】
前記第１のＩＭフォーマットで、前記データ処理デバイスから更なるインスタントメッセージングデータを受け取り、
前記更なるインスタントメッセージングデータが向けられた第２のＩＭサービスを特定し、
前記更なるインスタントメッセージングデータを、前記第２のＩＭサービスと互換性のある第３のＩＭフォーマットに再フォーマットし、かつ、
前記第３のＩＭフォーマットで、前記更なるインスタントメッセージングデータを、前記第２のＩＭサービスに伝送するステップ、
をさらに含むことを特徴とする、請求項１０に記載の方法。
【請求項１２】
前記インスタントメッセージングデータが新しいインスタントメッセージを含む
ことを特徴とする、請求項１０に記載の方法。
【請求項１３】
前記インスタントメッセージングデータがデータファイルを含む
ことを特徴とする、請求項１０に記載の方法。
【請求項１４】
前記データファイルがグラフィック画像を含む
ことを特徴とする、請求項１３に記載の方法。
【請求項１５】
前記伝送するステップが、前記インスタントメッセージングデータをインターネットにより前記第１のＩＭサービスに伝送することを含む
ことを特徴とする、請求項１０に記載の方法。
【請求項１６】
ＩＭクライアントとＩＭサービスとの間のＩＭセッションの間、前記ＩＭクライアントで用いられる第１のＩＭプロトコルと前記ＩＭサービスで用いられる第２のＩＭプロトコルとの間を変換するインスタントメッセージング（「ＩＭ」）プロキシサーバを、前記ＩＭクライアントと前記ＩＭサービスとの間に、通信できるように繋ぐステップと、
前記ＩＭクライアントと互換性のない、前記１又はそれ以上のＩＭサービスから受け取ったファイルを、前記ＩＭクライアントが処理できるフォーマットに変換するステップと
を含み、前記ＩＭプロキシサーバは、無線ネットワークによって、前記ＩＭクライアントに通信できるように繋がれ、
前記ＩＭクライアントが前記無線ネットワークと通信できるように接触していないとき、該ＩＭクライアントに宛てられたＩＭ通信を格納するメッセージキューを含む前記ＩＭプロキシサーバが、該ＩＭクライアントへの仮想接続を維持し、
前記ＩＭクライアントが、前記無線ネットワークと通信できるように接触していた最後のときから所定の時間内に、該無線ネットワークと通信できるように接触するようになった場合には、前記メッセージキュー内に格納されたＩＭ通信を、前記無線データ処理デバイスに転送し、
前記ＩＭクライアントが、前記無線ネットワークと通信できるように接触していた最後のときから所定の時間内に、該無線ネットワークと通信できるように接触するようにならなかった場合には、前記ＩＭプロキシシステムが、該ＩＭクライアントを前記ＩＭセッションからログオフさせる
ことを特徴とする方法。
【請求項１７】
前記ＩＭクライアントが、インターネットにより、前記ＩＭサービスに通信できるように繋がれる
ことを特徴とする、請求項１６に記載の方法。
【請求項１８】
前記変換モジュールが、更に、要求されたコンテンツを前記無線データ処理デバイス上で正確に再生するためのバイトコードのセットを生成するように構成された
ことを特徴とする、請求項１に記載のＩＭプロキシシステム。
【請求項１９】
前記変換モジュールが、更に、要求されたファイルを圧縮し、それによりネットワーク帯域幅を保存するように構成された
ことを特徴とする、請求項１に記載のＩＭプロキシシステム。
【請求項２０】
前記データ変換ロジックが、更に、要求されたコンテンツを前記無線データ処理デバイス上で正確に再生するためのバイトコードのセットを生成するように構成された
ことを特徴とする、請求項５に記載のシステム。
【請求項２１】
前記データ変換ロジックが、更に、要求されたファイルを圧縮し、それによりネットワーク帯域幅を保存するように構成された
ことを特徴とする、請求項５に記載のシステム。
【請求項２２】
要求されたコンテンツを前記無線データ処理デバイス上で正確に再生するためのバイトコードのセットを生成するステップ、
を更に含むことを特徴とする、請求項１０に記載の方法。
【請求項２３】
要求されたファイルを圧縮し、それによりネットワーク帯域幅を保存するステップ、
を更に含むことを特徴とする、請求項１０に記載の方法。
【請求項２４】
要求されたコンテンツを前記無線データ処理デバイス上で正確に再生するためのバイトコードのセットを生成するステップ、
を更に含むことを特徴とする、請求項１６に記載の方法。